(57)【要約】複数の圧力除去装置が冷媒回路内に設けられ、各圧力除去装置は、外気と流体的に連通するコンパートメント内に配設される。解放された高圧蒸気がコンパートメントの後壁に導かれるように、各圧力除去装置が配向される。さらに、解放された蒸気を部分的に内包し、一方向のみに蒸気を排出するように各圧力除去装置に対してカバーが設けられる。
2011510255.tif 000002
【特許請求の範囲】
【請求項１】
直列の流れ関係で配された、冷媒であるＣＯ2蒸気を圧縮する圧縮機、熱放出形熱交換器、膨張装置、および冷凍されるコンテナから流れる空気と熱交換関係で配設された熱吸収形熱交換器を有する冷媒回路と、
圧力が所定のレベルを超えたときに圧力を除去するように上記冷媒回路に配設された少なくとも１つの圧力除去装置と、
を備え、
少なくとも１つの圧力除去装置は、外気と流体的に連通するコンパートメントに位置することを特徴とする蒸気圧縮システム。
【請求項２】
コンパートメントは、底壁、上壁、側壁および後壁を有し、この後壁に少なくとも１つの圧力除去装置が取り付けられることを特徴とする請求項１に記載の蒸気圧縮システム。
【請求項３】
冷媒蒸気が解放されたときに該冷媒蒸気が後壁へと向かうように、少なくとも１つの圧力除去装置が配向されることを特徴とする請求項２に記載の蒸気圧縮システム。
【請求項４】
少なくとも１つの圧力除去装置は、カバーの底部のみが蒸気の流れに対して開放した状態で、四方がカバーによって囲まれていることを特徴とする請求項２に記載の蒸気圧縮システム。
【請求項５】
前記後壁にカバーが取り付けられることを特徴とする請求項４に記載の蒸気圧縮システム。
【請求項６】
少なくとも１つの圧力除去装置は、圧縮機の吸引インレットの近傍に配設されることを特徴とする請求項１に記載の蒸気圧縮システム。
【請求項７】
少なくとも１つの圧力除去装置は、ラプチャーデスクを含むことを特徴とする請求項１に記載の蒸気圧縮システム。
【請求項８】
少なくとも１つの圧力除去装置は、圧力リリーフバルブを含むことを特徴とする請求項１に記載の蒸気圧縮システム。
【請求項９】
冷媒回路は、バルブを有する無負荷回路を含み、
少なくとも１つの圧力除去装置は、バルブと圧縮機の中間段との間に配設されることを特徴とする請求項１に記載の蒸気圧縮システム。
【請求項１０】
バルブは常閉バルブであることを特徴とする請求項９に記載の蒸気圧縮システム。
【請求項１１】
少なくとも１つの圧力除去装置は、３つの圧力除去装置を含み、全ての圧力除去装置がコンパートメント内に位置することを特徴とする請求項１に記載の蒸気圧縮システム。
【発明の詳細な説明】
【技術分野】
【０００１】
本発明は、移動式冷凍システムに関し、特に、二酸化炭素（ＣＯ2）冷凍システムにおける高圧力除去装置を取り付ける方法および装置に関する。
【背景技術】
【０００２】
冷凍トラック、貨物トレーラおよび冷凍コンテナなどの移動冷凍システムにおいて、圧縮機がシステム内の冷媒を圧縮するように作動する間、かなりの圧力がシステムの吐出側（すなわち、高圧側）に集中する。そのため、蒸気圧縮回路は、圧力を安全に内包するように構成される。しかし、圧力が安全レベルを越える箇所において問題が生じる場合がある。したがって、過度の圧力が生じる前に圧力を除去する手段を設ける必要がある。
【０００３】
１つの確立された対策として、冷凍システムの高圧側に３つのレベルの安全策が講じられる。３つのレベルは、以下に示す優先順で連続して適用される。第１のレベルは、ソフトウエア上で実行され、圧力変換器の読み取り値に基づく。すなわち、所定の圧力レベルが検知されると、冷媒流を制限し、圧縮機やシステムを停止するか、あるいは一時的にシステムを停止して圧力が許容範囲まで降下した後に再始動する処置が講じられる。
【０００４】
第２のレベルは、システムを停止するか、システムを一時的に停止して一定時間後に再始動するように、検知された圧力に応じる機械的な圧力スイッチによって実行される。
【０００５】
第３のレベルは、所定の圧力レベルを越えた場合に、少なくとも部分的に冷媒を周囲環境に解放するように、応答可能に開く機械的な圧力除去装置によって実行される。
【０００６】
最近では、一般的に使用される冷媒が漏洩などにより大気へ放出されることによる環境への影響が問題となっている。この問題に対処する１つの方法として、フレオン（商標登録）などの従来の冷媒に替えて、より害の少ない冷媒として二酸化炭素（ＣＯ2）などを用いることが挙げられる。しかし、このような冷媒を用いた場合、実質的に高圧の作動が要求されるため、ＣＯ2を圧縮するように圧縮機を特別に設計しなければならない。回路における圧力が高い場合は、連続的に圧力を検知し、過度の圧力が生じた場合に安全な方法で圧力を除去することが重要である。このため、システムの作動中、高圧側の作動圧力を有効に制御する前述の３つのレベルの安全策が見出された。
【０００７】
冷媒としてＣＯ2を使用する場合、作動中に過度の圧力が生じることに加えて、移動中および貯蔵中にもシステム内の圧力が過度になることがあることが分かっている。すなわち、充填された状態でシステムが休止している間、夏に倉庫などで過度の周囲温度に曝された場合、あるいは日中の直射日光に曝された場合に、圧力が望ましくないレベルまで上昇することがある。このような状態下では、高圧側の圧力を除去する場合には上記の３つのレベルの安全策が有益であるが、従来の冷媒を用いたシステムと異なり、ＣＯ2型のシステムは低圧側においても過度の圧力の影響を受けやすい。
【０００８】
米国特許出願第号（ドケット番号：２１０＿１１３６ＰＣＴ）に記載されているように、上記問題に対処する方法および装置が見出されている。上記米国出願は、本譲受人に譲渡され、本願とともに出願されている。
【発明の概要】
【発明が解決しようとする課題】
【０００９】
圧力除去装置が開となる２５００ｐｓｉ（１７．２ＭＰａ）程度の相対的に高い圧力のため、解放された高圧蒸気の周辺にいる人が危険にさらされる恐れがある。すなわち、高圧および低温のため、目や耳に対して凍傷や他の損傷が及ぶ恐れがある。
【００１０】
したがって、周囲にいる人に危害を及ぼさないように、圧力除去装置を所定の位置および向きに選択的に配設する方法および装置が要求されている。
【課題を解決するための手段】
【００１１】
本発明の一態様によると、少なくとも１つの圧力除去装置が開放されたときに、冷媒が外側環境に流出する可能性がなく、システムのいかなる部分にも捕捉されないように、少なくとも１つの圧力除去装置がシステム内に有利に配設される。
【００１２】
本発明の一実施例を以下に簡単に説明する図面に示しているが、本発明の範囲および精神から逸脱することなく、種々の変更および修正がなされることを理解されたい。
【図面の簡単な説明】
【００１３】
【図１】本発明の二酸化炭素蒸気圧縮システムの概略図。
【図２】本発明のコンテナ冷凍システムの正面部分の概略図。
【図３Ａ】本発明による除去装置の断面図。
【図３Ｂ】本発明による除去装置の断面図。
【図３Ｃ】本発明による除去装置の断面図。
【発明を実施するための形態】
【００１４】
図１を参照すると、二酸化炭素（ＣＯ2）冷媒蒸気圧縮システム１０は、モータ１２によって駆動される圧縮装置１１と、冷媒熱放出形熱交換器１３と、冷媒熱吸収形熱交換器１４（蒸発器ともいう）と、を備え、これらは全て、冷媒ライン１６，１７，１８によって直列の冷媒流配列として接続されて閉ループの冷媒回路を構成する。さらに、冷媒蒸気圧縮システム１０は、冷媒熱放出形熱交換器１３の下流でかつ蒸発器１４の上流で冷媒回路の冷媒ライン４に設けられたフィルタドライヤー１９およびフラッシュタンクレシーバ２１を備え、さらに、フラッシュタンクレシーバ２１の下流でかつ蒸発器１４の上流で冷媒回路の冷媒ライン４に設けられた蒸発器膨張装置２２を備える。この蒸発器膨張装置２２は蒸発器１４に対応して動作可能である。
【００１５】
圧縮装置１１は、冷媒を圧縮し冷媒回路を通して循環させるように機能する。これについては以下に詳細に説明する。図１に示すように、圧縮装置１１は、少なくとも第１の低圧圧縮段（ステージ）１１Ａおよび第２の高圧圧縮段１１Ｂを有する単一の多段（マルチステージ）圧縮機としてよく、例として、スクロール圧縮機や往復圧縮機などがある。第１の圧縮段１１Ａからの部分的に圧縮された冷媒は、多段圧縮装置１１の圧縮機構内に位置する第２の圧縮段１１Ｂへと送られる。しかし、他の実施例では、圧縮装置１１は、例えば、一対のスクロール圧縮機や往復圧縮機などの一対の圧縮機１１Ａ，１１Ｂを備えていてもよく、該圧縮機は、第１の圧縮機１１Ａの吐出アウトレットポートと第２の圧縮機１１Ｂの吸引インレットポートとを冷媒流的に連通するように接続する冷媒ラインを備えてもよいことを理解されたい。単一の多段圧縮機からなる場合は、双方の圧縮段は、圧縮装置１１の圧縮機構と駆動関係で動作可能に対応する単一のモータ１２によって駆動される。一対の圧縮機が圧縮装置１１を構成する場合、各圧縮機は、圧縮機構と駆動関係で動作可能に対応する専用のモータによって他方の圧縮機から独立して駆動される。
【００１６】
冷媒蒸気圧縮システム１０は、冷媒ライン２４を有する圧縮機無負荷回路２３と、冷媒ライン２４に配設されたアンロード（無負荷）バルブ２７と、をさらに備える。冷媒ライン２４は、圧縮プロセスにおける中間圧力ポイントと、蒸発器１４の下流および圧縮装置１１の吸引インレットポート２６の上流における冷媒ライン１８のポイントとを相互に接続する。アンロードバルブ２７は、圧縮機無負荷回路２３の冷媒ライン２４を通る冷媒流を制御するように動作可能である。図１の冷媒蒸気圧縮システムの例示的な実施例では、圧縮装置１１は、少なくとも低圧圧縮段１１Ａおよび高圧圧縮段１１Ｂを有する単一の圧縮機であり、圧縮機無負荷回路２３の冷媒ライン２４は、位置２８において圧縮装置１１に接続され圧縮プロセスの中間圧力ポイントに開口しており（つまり、圧縮装置１１の吸引インレットにおける冷媒圧力よりも高く、かつ圧縮装置１１の吐出アウトレットにおける冷媒圧力よりも低い冷媒圧力で）、吸引圧力で冷媒ライン１８に接続される。
【００１７】
ＣＯ2冷媒蒸気圧縮システム１０は、未臨界（臨界未満）サイクルで作動するように構成される。したがって、冷媒熱放出形熱交換器１３は、冷媒凝縮熱交換器として作用するように構成される。圧縮装置１１から排出された高温高圧の冷媒蒸気は、冷却媒体と熱交換関係で上記熱交換器を通って冷媒蒸気から冷媒液へと凝縮される。冷媒熱放出形熱交換器１３（本明細書において、気体冷却器あるいは凝縮器とも呼ぶ）は、例えば、フィンおよび円管チューブ熱交換器コイルあるいはフィンおよび平坦な小チャネルチューブ熱交換器などフィン付管式（フィンチューブ）熱交換器としてもよい。移動式冷凍システムの用途においては、通常の冷却媒体は環境空気であり、該空気は、凝縮器１３と動作可能に対応するファン３１によって冷媒と熱交換器関係で凝縮器１３を通過する。
【００１８】
蒸発器１４は、冷媒蒸発熱交換器を構成し、該熱交換器は、例えば、フィンおよび円管チューブ熱交換器コイルあるいはフィンおよび平坦な小チャネルチューブ熱交換器など通常のフィンチューブ熱交換器としてもよい。膨張装置２２を通って膨張した冷媒は、加熱流体と熱交換器関係で上記熱交換器を通過し、これにより、冷媒が蒸発し、通常、加熱される。冷媒と熱交換器関係で蒸発器１４を通流する加熱流体は、空気としてもよく、該空気は、蒸発器１４と動作可能に対応するファン３２によって冷媒と熱交換器関係で蒸発器１４を通過し、冷却され、除湿され、次いで、温度と湿度が制御された気候制御環境に供給される。この気候制御環境には、移動冷凍システムに対応する貯蔵庫に置かれた冷蔵または冷凍された食物などの腐敗性の積み荷が含まれる。
【００１９】
通常運転時では、圧縮装置１１は、モータ１２により駆動され、二酸化炭素を第１の圧縮段１１Ａにより中間圧力まで圧縮し、第２の圧縮段１１Ｂにより高圧まで圧縮する。この高圧は、通常、３００ｐｓｉ〜２２５０ｐｓｉ（２ＭＰａ〜１５．５Ｍｐａ）の範囲であり、凝縮器１３、フィルタドライヤー１９およびフラッシュタンクレシーバ２１を有し、膨張装バルブ２２（ここで、圧力は実質的に減圧される）で終端をなす高圧側全体に亘って維持される。膨張装置２２と吸引インレット２６の間のセクションは、低圧側であり、蒸発器１４と、アンロードバルブ２７の下流側と、を含む。
【００２０】
通常は、電子膨張バルブである膨張装置２２は、圧縮装置１１の吸引側におけるセンサ（図示せず）により検知された冷媒の吸引温度および圧力に応じて、冷媒ライン３３を通って蒸発器１４へと流れる冷媒を制御する。冷凍システムによってより高い質量流量が要求される場合に膨張装置２２を通る冷媒流を補完するように、バイパスバルブ３４が設けられる。
【００２１】
アンロードバルブ２７は、冷媒ライン１２を通る冷媒の流れを制御するように制御装置（図示せず）によって選択的に作動する。アンロードバルブ２７は、例えば、固定オリフィスソレノイドバルブなどの固定流量断面積型のバルブであり、吐出アウトレット２９において検知された冷媒の吐出温度および圧力に応じて選択的に作動する。したがって、圧縮装置１１は、アンロードバルブ２７の選択的な開閉により冷媒蒸気圧縮システム１０の冷凍能力の制御に必要なように、負荷が軽減される。アンロードバルブ２７が開である場合、冷媒蒸気は、高圧圧縮機ステージ１１Ｂによってさらに圧縮されるように前方へと流れず、圧縮プロセスの中間ステージから流出し、圧縮機無負荷バイパスライン２４を通って冷媒ライン１８へと進む。無負荷回路冷媒ライン２４を通る冷媒蒸気は、高圧圧縮段１１Ｂを迂回して、圧縮装置１１の吸引側に直接戻る。これにより、圧縮装置１１の負荷が軽減される。圧縮機無負荷回路２３に亘る圧縮装置１１の負荷軽減は、高圧圧縮機吐出冷媒温度に応じて、あるいは能力減少や圧縮機の電力減少のために行われる。
【００２２】
前述のような作動中、通常、システムの高圧側において過度の圧力が生じないように防ぐ処置がなされる。これは、通常、システムをシャットダウンするなど適切な処理を行うように、検知された高い圧力に応じたソフトウエアによるアプローチを第１に含む3段階の連続的に実行されるシステムにより行われる。仮に何らかの理由で高圧側において適切に圧力が低減されない場合、これに応答して、高圧スイッチ３６は、システムをシャットダウンするなど適切な処置を行う。高圧状態が依然として持続する場合は、圧縮機吐出ポート２９と膨張バルブ２２との間の高い圧力を除去するリリーフバルブ３７により第３レベルの安全策が実行される。除去装置は、通常、高圧の冷媒蒸気の一部または全てを容易に大気に放出する圧力リリーフバルブやラプチャーデスク（破裂板）の形態をなす。
【００２３】
圧縮装置１１が作動している間、低圧側は相対的に低い圧力（すなわち、１００ｐｓｉから１０５５ｐｓｉ（０．７ＭＰａ〜７．３ＭＰａ）の範囲）に維持されるため、システムの作動中に実行される３つのレベルの処置は、システムの高圧側にだけに関するものである。
【００２４】
しかし、システム低圧側における問題は、作動中でなくシステムがシャットダウンし、相対的に高い温度に曝される間に生じる。
【００２５】
種々の構成要素、特にアンロードバルブ２７および膨張装置２２の作動について説明する。
【００２６】
信頼性および安全性のため、アンロードバルブ２７は、システムがシャットダウンしたときにバルブ２７が閉となる常閉バルブである。同時に、作動中、第１および第２の段１１Ａ，１１Ｂは、双方とも非作動であり、したがって、閉状態である。アンロードバルブ２７の上流側を含む第１の段１１Ａと第２の段１１Ｂの間の回路の部分は、二酸化炭素冷媒が捕捉された閉鎖領域であり、図を参照して前述した高圧現象の影響を受けやすい。図示を目的として、上記部分を図１に点線３８で示す。
【００２７】
システムがシャットダウンしたとき、膨張装置２２およびバイパスバルブ３４は、冷媒が蒸発器コイルおよび圧縮機の吸引側へと移動すること（信頼性に影響を与え、圧縮機の寿命を減少させる）を防止するように閉位置にある。したがって、高圧現象を受けやすい閉鎖領域である別のセクションが膨張装置と吸引インレット２６の間に存在する。図示を目的として、このセクションを点線３９で示す。最後に、吐出アウトレット２９および膨張装置２２における閉鎖状態のため、点線４０で示すセクションは閉鎖領域となり、高温に曝されたときに上昇した圧力の影響を受けやすくなる。しかし、このセクションは高圧側であり、高圧スイッチ３６およびリリーフバルブ３７による高い圧力を除去する対応策が既になされていることを理解されたい。したがって、このセクションにはさらに特別な対応策は必要とされない。しかし、線３８，３９で示すセクションには、通常備わっていない付加的な対応策が要求される。したがって、アンロードバルブ２７の上流のライン４３上に高圧除去装置４１が配置され、吸引インレット２６の上流のライン４４上に高圧除去装置４２が配置される。除去装置４１，４２は、過度の温度に曝されたときに破裂し、高圧のガスを大気への放出するラプチャーデスク（破裂板）の形態をなしていてもよい。このように、高圧除去装置４１は、回路における符号３８で示すセクションにおける過度の圧力を除去するように機能し、除去装置４２は、回路における符号３９で示すセクションに存在し得る過度の圧力を除去するように機能する。例えば、除去装置４１，４２が除去するように設計された適切な圧力レベルは、１３００ｐｓｉから２５００ｐｓｉ（９Ｍｐａ〜１７．２Ｍｐａ）の範囲である。
【００２８】
高圧除去装置４２に加えて、符号３９で示すセクションには、除去装置４２に先行する高圧スイッチ４６が含まれることが望ましく、この高圧スイッチ４６は除去装置４２が開となる前に開となる。
【００２９】
３段階の処置を用いる場合、第１および第２の好ましい処置は、ＣＯ2冷媒を大気に解放することを含まず、圧力除去装置を用いる第３の処置により、閉ループシステムからＣＯ2の蒸気が解放される。この場合、２つの潜在的な問題が生じる可能性がある。第１に、コンテナと接触する冷媒回路部分（すなわち、コンテナ内の空気が冷凍システムの蒸発器と流体的に関係する）が存在するため、一方の除去装置からＣＯ2蒸気を解放することによりＣＯ2蒸気がコンテナに流入すると、コンテナに進入する人が危険にさらされることとなる。さらに、そのようなＣＯ2蒸気の解放は、コンテナ内のカーゴ（積み荷）にとっても有害である。したがって、圧力除去装置からのＣＯ2蒸気をコンテナ内でなく、大気へと解放することが望ましい。
【００３０】
第２に、蒸気の圧力が相対的に高く、迅速に解放が行われることが望ましいため、かなりの量の高圧蒸気が高速の圧力噴流として突然排出され、その周辺に人が存在する場合、人がけがを負う恐れがある。そのため、本発明では、この問題を防止する対策を講じている。
【００３１】
次に図２を参照すると、冷凍システム４７の一部が図示されている。この冷凍システムは、冷凍されるコンテナに取り付けられ、かつ前述の蒸気圧縮システム１０を有する。冷凍システム４７は、冷凍システム４７の後方部分に蒸発器１４および凝縮器１３を有している。そのため上記構成要素を図示していない。凝縮器１３は、冷媒蒸気の凝縮のため外気の循環を許容するように配設され、蒸発器１４は、空気を冷却するためにコンテナからの空気が循環するように配設される。
【００３２】
冷凍システム４７の前方でかつ下方の部分にはコンパートメント４８が設けられており、該コンパートメントは、底壁４９、上壁５１、側壁５２，５３および後壁５４を有する。コンパートメント４８は、コンテナの内部から流体的に分離されているが、周囲環境にさらされている。つまり、前方カバー（図示せず）が存在する場合であっても、コンパートメント４８内への外気の自由な流れを許容するとともに、コンパートメント４８から周囲への空気や蒸気の流れを許容するように、コンパートメント４８は構成されている。
【００３３】
コンパートメント４８は、凝縮器１３および蒸発器１４を除く図１に示す全ての構成要素を実質的に含んでいる。図２を参照すると、圧縮機１１、フラッシュタンク２１およびフィルタドライヤー１９がコンパートメント４８内の設置位置に配設されている。
【００３４】
コンパートメント４８内には図１に示した３つの圧力除去装置３７，４１，４２が配設される。図２では、上記圧力除去装置はカバー５６，５７，５８（図２，３Ａ−３Ｃ）によって隠れているため図示されていない。各カバー５６，５７，５８および対応する高圧除去装置３７，４１，４２はコンパートメント４８に配設される。特に、図３Ａ，３Ｂ，３Ｃに示すように、カバー５６，５７，５８は全て後壁５４に取り付けられる。したがって、上記除去装置から解放されたＣＯ2蒸気はコンパートメント４８に放出され、次いで周囲へと流れる。
【００３５】
カバー５６，５７，５８は、除去装置からの噴流を制限または内包するように構成される。すなわち、蒸気が流れるようにリリーフバルブより下方の領域だけが開放された状態で、各カバー５６，５７，５８は各リリーフバルブを囲う４つの壁部を有している。図示の目的で、カバー５６，５７，５８の１つの壁部（手前側）を取り除いている。
【００３６】
カバー５６，５７，５８の構造に加えて、リリーフバルブ３７，４１，４２の位置および向きは、バルブの開放端が壁部５４，５０に向けられ、解放される蒸気の噴流が後壁５４に導かれるように配向される。したがって、例えば、一部の圧力除去装置が作動しているときに、人が図２に示すコンパートメントと対面していても、放出されたガスは第１に壁部５４へと流れ、次いで、対応するカバーの下方に位置する開口を通って下方へと流れる。
【００３７】
図示した本発明の実施例について説明してきたが、当業者であれば特許請求の範囲によって定められる本発明の範囲および精神を逸脱することなく種々の変更がなされることを理解されたい。
【図１】
2011510255.tif 000003
【図２】
2011510255.tif 000004
【図３Ａ】
2011510255.tif 000005
【図３Ｂ】
2011510255.tif 000006
【図３Ｃ】
2011510255.tif 000007
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
直列の流れ関係で配された、冷媒であるＣＯ2蒸気を圧縮する圧縮機、熱放出形熱交換器、膨張装置、および冷凍されるコンテナから流れる空気と熱交換関係で配設された熱吸収形熱交換器を有する冷媒回路と、
圧力が所定のレベルを超えたときに圧力を除去するように上記冷媒回路に配設された少なくとも１つの圧力除去装置と、
を備え、
少なくとも１つの圧力除去装置は、外気と流体的に連通するコンパートメントに位置することを特徴とする蒸気圧縮システム。
【請求項２】
コンパートメントは、底壁、上壁、側壁および後壁を有し、この後壁に少なくとも１つの圧力除去装置が取り付けられることを特徴とする請求項１に記載の蒸気圧縮システム。
【請求項３】
冷媒蒸気が解放されたときに該冷媒蒸気が後壁へと向かうように、少なくとも１つの圧力除去装置が配向されることを特徴とする請求項２に記載の蒸気圧縮システム。
【請求項４】
少なくとも１つの圧力除去装置は、カバーの底部のみが蒸気の流れに対して開放した状態で、四方がカバーによって囲まれていることを特徴とする請求項２に記載の蒸気圧縮システム。
【請求項５】
前記後壁にカバーが取り付けられることを特徴とする請求項４に記載の蒸気圧縮システム。
【請求項６】
少なくとも１つの圧力除去装置は、圧縮機の吸引インレットの近傍に配設されることを特徴とする請求項１に記載の蒸気圧縮システム。
【請求項７】
少なくとも１つの圧力除去装置は、ラプチャーデスクを含むことを特徴とする請求項１に記載の蒸気圧縮システム。
【請求項８】
少なくとも１つの圧力除去装置は、圧力リリーフバルブを含むことを特徴とする請求項１に記載の蒸気圧縮システム。
【請求項９】
冷媒回路は、バルブを有する無負荷回路を含み、
少なくとも１つの圧力除去装置は、バルブと圧縮機の中間段との間に配設されることを特徴とする請求項１に記載の蒸気圧縮システム。
【請求項１０】
バルブは常閉バルブであることを特徴とする請求項９に記載の蒸気圧縮システム。
【請求項１１】
少なくとも１つの圧力除去装置は、３つの圧力除去装置を含み、全ての圧力除去装置がコンパートメント内に位置することを特徴とする請求項１に記載の蒸気圧縮システム。
【請求項１２】
冷凍されるコンテナは、移動冷凍システムに対応する貯蔵領域を含むことを特徴とする請求項１に記載の蒸気圧縮システム。
【請求項１３】
冷凍されるコンテナは、貨物トレーラの貯蔵領域を含むことを特徴とする請求項１に記載の蒸気圧縮システム。
【国際調査報告】
2011510255.tif 000008